(57)【要約】      （修正有）【課題】ドレンパンに抗菌剤収容ケースを容易に取付け又は取外しを行うことができる室内機等を提供する。【解決手段】室内熱交換器から発生するドレン水を捕集するドレンパン７の側壁上縁部に形成される固定板と、抗菌剤２４を収容し、ドレン水が溜まる部分に設置されるケースフレーム、固定板に対応して固定板に着脱可能に取付けられるケース取付部１３及びケースフレームとケース取付部１３とをつなぐアーム１２を有し、本体内に空気を吸い込む吸込口の開口部分から取付けられる抗菌剤収容ケース１１とを備える。【選択図】図４
2015124902.tif 000002
【特許請求の範囲】
【請求項１】
熱交換器から発生するドレン水を捕集するドレンパンの側壁上縁部に形成される固定板と、
抗菌剤を収容し、前記ドレン水が溜まる部分に設置される容器部、前記固定板に対応して前記固定板に着脱可能に取付けられるケース取付部及び前記容器部と前記ケース取付部とをつなぐアームを有し、本体内に空気を吸い込む吸込口の開口部分から取付けられる抗菌剤収容ケースと
を備えることを特徴とする室内機。
【請求項２】
前記固定板は取付穴を有し、前記抗菌剤収容ケースはケース取付部に設けたツメ部を挿入して係止して前記ドレンパンに固定することを特徴とする請求項１に記載の室内機。
【請求項３】
前記抗菌剤収容ケースは、少なくとも前記容器部となるケースフレーム、ケース蓋及び前記ケースフレームと前記ケース蓋とをつなぐヒンジが一体成型されていることを特徴とする請求項１又は請求項２に記載の室内機。
【請求項４】
前記ドレンパンの前記固定板の下側に凹形状の取付空間を形成することを特徴とする請求項１〜請求項３のいずれか一項に記載の室内機。
【請求項５】
請求項１〜４のいずれか一項に記載の室内機と、室外機とを備えて空気調和を行うことを特徴とする空気調和機。
【発明の詳細な説明】
【技術分野】
【０００１】
この発明は空気調和機等の室内機等に関するものである。特に抗菌剤の取付構造に係るものである。
【背景技術】
【０００２】
従来の空気調和機等の室内側に設けられる室内機（例えば四方向カセット形空気調和機）は、室内熱交換器及び送風機を備えている。また、室内熱交換器の下方には、熱交換器によって凝縮生成されたドレン水を受け止めるドレンパンを設けている。ドレンパンに受け止められたドレン水は、ドレンポンプ及びドレン配管を通して室内機外部へ排出される。ここで、ドレン水は、空気中の雑菌、カビ等が入り込み、繁殖しやすい。雑菌やカビが繁殖すると、ドレンパン内にスライムが生成され、悪臭、ドレン配管の詰まり等の排水不良を起こす原因になる恐れがある。このため、ドレンパン内に雑菌、カビ等の繁殖を抑制する抗菌剤を収容する収容容器を有する室内機がある。収容容器に収容された抗菌剤の成分がドレン水に溶出することで、水周り部分に抗菌性をもたせ、雑菌、カビ等の繁殖を抑制している（例えば、特許文献１参照）。
【先行技術文献】
【特許文献】
【０００３】
【特許文献１】特開２００６−１９４４９４号公報（図１〜３）
【発明の概要】
【発明が解決しようとする課題】
【０００４】
従来の室内機では、作業者がメンテナンス等を行う際、本体内部にあるドレンパン等を取外す等して抗菌剤収容具をドレンパン内に取付けるようにしていた。このとき、ドレンパンの設置部位まで手を伸ばして取付け又は取外しを行わなければならなかった。このような構造のため、作業者は開口部及び手の隙間からの目視が困難となる、ベルマウス内部の空間がうす暗く、設置位置を判断するのに手間がかかる等の問題点があった。
【０００５】
この発明は、上記のような課題を解決するためになされたもので、ドレンパンに抗菌剤収容ケースを容易に取付け又は取外しを行うことができる室内機等を得ることを目的とする。
【課題を解決するための手段】
【０００６】
この発明に係る室内機は、熱交換器から発生するドレン水を捕集するドレンパンの側壁上縁部に形成される固定板と、抗菌剤を収容し、ドレン水が溜まる部分に設置される容器部、固定板に対応して固定板に着脱可能に取付けられるケース取付部及び容器部とケース取付部とをつなぐアームを有し、本体内に空気を吸い込む吸込口の開口部分から取付けられる抗菌剤収容ケースとを備えるものである。
【発明の効果】
【０００７】
この発明の室内機に依れば、ドレンパンの側壁上縁部に固定板を有し、また、固定板に着脱可能に取付けられるケース取付部、抗菌剤を収容する容器部及びアームを有する抗菌剤収容ケースを吸込口の開口部分から取付けられるようにしたので、抗菌剤収容ケースを簡単に確実に取付又は取外し可能な室内機を得ることができる。
【図面の簡単な説明】
【０００８】
【図１】この発明の実施の形態１における室内機１００の外観を示す図である。
【図２】この発明の実施の形態１における室内機１００の内部構成を下方から見た内部構成斜視図である。
【図３】この発明の実施の形態１における室内機１００のドレンパンケース取付部８周辺部分の構成要部を示す拡大図である。
【図４】この発明の実施の形態１における室内機１００のドレンパンケース取付部８周辺部分の構成要部を示す断面図である。
【図５】この発明の実施の形態１における抗菌剤収容ケース１１の外観を示す図である。
【図６】この発明の実施の形態１における抗菌剤収容ケース１１の構造を示す図である。
【図７】この発明の実施の形態１における室内機１００のドレンパン７の斜視図である。
【図８】この発明の実施の形態１におけるドレンパン７への抗菌剤収容ケース１１の取付けを説明する図である。
【図９】この発明の実施の形態１における室内機１００のドレンパンケース取付部８を含むドレンパン７角部の構成要部を示す断面図である。
【図１０】この発明の実施の形態３に係る空気調和機の構成例を表す図である。
【発明を実施するための形態】
【０００９】
以下、発明の実施の形態に係る室内機等について図面等を参照しながら説明する。以下の図面において、同一の符号を付したものは、同一又はこれに相当するものであり、以下に記載する実施の形態の全文において共通することとする。そして、明細書全文に表わされている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。また、図における上方を「上側」とし、下方を「下側」として説明する。そして、図面では各構成部材の大きさの関係が実際のものとは異なる場合がある。
【００１０】
実施の形態１．
図１はこの発明の実施の形態１における室内機１００の外観を示す図である。本実施の形態では、室内機の代表例として、室内の天井に埋め込むことができる天井埋め込み型で、四方向に吹出口を有する四方向カセット型の室内機１００について説明する。室内機１００は、後述する室外機２００と接続し、冷媒を循環して冷凍、空気調和等を行う冷媒回路を構成する。室内機１００の本体１には、後述するように、例えば、室内熱交換器１１０、ターボファン６、ドレンパン７、図示はしないが、送風機駆動用のモータ、ベルマウス等を内蔵している。
【００１１】
また、本体１の下方には室内側に面し、室内機の外装パネルとなる化粧パネル２が装着されている。化粧パネル２の中央部分には、室内の空気を本体１内に吸い込む吸込口を構成する吸込グリル５が設置されている。また、その外側の各辺となる部分には、それぞれ風向調整ベーン４を備えた吹出口３がある。
【００１２】
図２はこの発明の実施の形態１における室内機１００の内部構成を下方から見た内部構成斜視図である。図２は化粧パネル２の中央部の吸込グリル５を開いた状態にすることで、内部構成を示している。説明に必要な箇所を見やすくし、図２では本体内の部材のうち、ターボファン６へ吸い込んだ空気を導くベルマウスを取外している。ここで、作業者が作業をする際にもベルマウスを取外して行う。
【００１３】
本体１内部には、送風機となるターボファン６を有している。また、ドレンパン７は、ターボファン６の周囲を囲むように配設された熱交換器から発生したドレン水を捕集する。そして、本実施の形態のドレンパン７には、後述するように、ドレンパンにドレン水が溜まったとき、抗菌剤２４がドレン水に浸かるようにドレンパンケース取付部８がドレンパン７の内側（ドレン水が溜まる側）に形成されている。
【００１４】
図３はこの発明の実施の形態１における室内機１００のドレンパンケース取付部８周辺部分の構成要部を示す拡大図である。図３は、後述する抗菌剤収容ケース１１をドレンパン７に取付けた状態を吸込口側（ドレンパン７の外側）から見たものである。ドレンパン７は、例えばインサート成形された固定板９をドレンパンケース取付部８に有している。固定板９は金属製の板であり、作業等における耐久性を確保している。また、固定板９には取付穴１０が形成されている。抗菌剤収容ケース１１のケース取付部１３に形成され、弾性を有するツメ部１４が取付穴１０に挿入される。取付穴１０に挿入されたツメ部１４によって係止することで、抗菌剤収容ケース１１がドレンパン７の所定の位置に固定保持される。
【００１５】
また、ドレンパン７において、固定板９の下側に取付空間２２が形成されている。取付空間２２は、抗菌剤収容ケース１１を、固定板９の取付穴１０に挿抜しやすくする。このため、例えば作業者は、取付空間２２に指を入れ、ツメ部１４を指で摘んで抗菌剤収容ケース１１を取外すことができる。また、取付空間２２により、抗菌剤収容ケース１１がドレンパン７に取付けられていれば、ツメ部１４を目視することができるので、取付状況を確認しやすくなる。
【００１６】
図４はこの発明の実施の形態１における室内機１００のドレンパンケース取付部８周辺部分の構成要部を示す断面図である。図４（ａ）は、抗菌剤収容ケース１１を取付ける前の状態を示し、図４（ｂ）は、抗菌剤収容ケース１１を取付けたときの状態を示している。図４（ａ）に示すように、抗菌剤収容ケース１１をドレンパン７の上側から取付ける。また、図４（ｂ）に示すように、ドレンパン７（固定板９）に抗菌剤収容ケース１１（ケース取付部１３）を取付けた状態において、抗菌剤収容ケース１１（容器部分）の底面は、ドレンパン７の底部分から所定の距離を保って固定保持されている。
【００１７】
ドレンパン壁７ａはドレンパン７の壁である。ドレン水貯留部７ｂはドレンパン７の底部に形成されたドレン水が溜まる（流れる）部分である。また、熱交換器載置台７ｃは、室内熱交換器１１０が載置される台となる部分である。熱交換器載置台７ｃはドレンパン７の中程にある。したがって、ドレンパン７は室内熱交換器１１０の一次側と二次側とに跨がって設置されることになる。また、緩衝材２３は、抗菌剤収容ケース１１を取付けた際、アーム１２とドレンパン７との当たりを緩衝させて擦れることを抑制する。
【００１８】
図５はこの発明の実施の形態１における抗菌剤収容ケース１１の外観を示す図である。図５に示すように、抗菌剤収容ケース１１は、ドレン水に雑菌等の繁殖等を防ぐ後述する抗菌剤２４を収容する（詰め込む）。抗菌剤２４は、空気中の雑菌やカビの繁殖によりドレン水に発生するスライム等の生成を抑制し、悪臭、ドレン配管の詰まり等による排水不良等を防止する。
【００１９】
抗菌剤収容ケース１１は、抗菌剤２４を収容する容器部分の上側に、アーム１２、ケース取付部１３及びツメ部１４を有している。前述したように、ケース取付部１３はツメ部１４により、ドレンパン７側壁の上側部分に位置する固定板９に取付けられ、抗菌剤収容ケース１１を保持する。一方、抗菌剤収容ケース１１において抗菌剤２４を収容する容器部分は、ドレンパン７の底部分から所定の距離を保つ必要がある。そこで、アーム１２はケース取付部１３と容器部分とをつなぐ橋渡しの役割を果たす。アーム１２はドレンパン７の送風機（ターボファン６）側の側壁形状に合致した形状である。このため、容器部分をドレンパン７の側壁に密着させることができる。また、アーム１２とケース取付部１３とを組み合わせた形状は、手のひらに収まりやすいため、作業者が取付作業等をしやすくなる。
【００２０】
図６はこの発明の実施の形態１における抗菌剤収容ケース１１の構造を示す図である。図６（ａ）はケース蓋１６を外した状態を示す図である。また、図６（ｂ）は抗菌剤収容ケース１１を裏側から見た裏面斜視図である。抗菌剤収容ケース１１は、抗菌剤２４を収容する容器部となるケースフレーム１５、ケース蓋１６、アーム１２、ケース取付部１３及びツメ部１４が一体成型されている樹脂製のケースである。このため、ケースフレーム１５とケース蓋１６とをつなぐヒンジ１７を有し、ヒンジ１７部分で折り返すことで、ケース蓋１６によりケースフレーム１５に蓋をすることができる。本実施の形態では、ケースフレーム１５はケース穴１９を有し、ケース蓋１６はケースツメ２０を有している。そして、ケースフレーム１５とケース蓋１６とは、ケース穴１９とケースツメ２０とが係合することにより蓋をした状態が保持される。本実施の形態では、ケースフレーム１５、ケース蓋１６等を一体成型しているが、特に限定するものではない。例えばケースフレーム１５とケース蓋１６とが分離した構成でもよい。
【００２１】
また、ケース蓋１６はリブ１８を有している。ケースフレーム１５内に収容した抗菌剤２４の漏れ出しを防止する。また、ケースフレーム１５の抗菌剤２４を収容する部位の外周には網２１が設けられている。抗菌剤２４の成分が網２１を介してドレン水に溶け込む。
【００２２】
図７はこの発明の実施の形態１における室内機１００のドレンパン７の斜視図である。本実施の形態で室内機１００の角部となる位置に抗菌剤収容ケース１１を取付ける。この角部には、ドレン水を室内機１００外部へ排出するドレン配管（図示せず）が接続され、後述するドレンポンプ２６が据え付けられる等の部位となる。
【００２３】
図８はこの発明の実施の形態１におけるドレンパン７への抗菌剤収容ケース１１の取付けを説明する図である。例えば作業者が、室内機１００の吸込グリル５を開けてベルマウスを外すと、室内機１００の吸込口側から見てドレンパン７の上方に作業空間ができる。この空間を利用して、前述したように、作業者はドレンパン７の吸入口側側壁の上縁部から、抗菌剤２４を収容するケースフレーム１５等の容器部分及びアーム１２がドレン水貯留部７ｂ側に位置するように抗菌剤収容ケース１１を取付ける。抗菌剤収容ケース１１はドレンパン７に掛かった状態になる。単純に掛かっているだけだと、不安定であるため、固定板９の取付穴１０にツメ部１４を挿入して固定する。
【００２４】
図９はこの発明の実施の形態１における室内機１００のドレンパンケース取付部８を含むドレンパン７角部の構成要部を示す断面図である。ドレンポンプ２６は、ドレンパン７に溜まっているドレン水をドレン配管に排出するためのドレン水の流れを形成する。前述したように、スライム等によるドレン配管、ドレンポンプ２６等へのつまりを防止するため、抗菌剤収容ケース１１の取付位置は、ドレンポンプ２６等に近い位置となるようにする。
【００２５】
以上のように、本実施の形態の室内機１００によれば、ドレンパン７に固定板９を設け、アーム１２、ケース取付部１３等を有する抗菌剤収容ケース１１を、ドレンパン７において、熱交換器一次側（吸込側）となる送風機側縁部の上側から取付けることができるので、作業者は、ドレンパン７を取外すことなく、開口部分が広い吸込口から、抗菌剤収容ケース１１とドレンパン７（固定板９）との位置関係を目視しながら取付又は取外し作業を行うことができる。このため、作業が容易に、確実に行うことができる。また、固定板９に取付穴１０を有し、抗菌剤収容ケース１１のケース取付部１３が有するツメ部１４を取付穴１０に挿入することにより係止させることができるようにしたので、抗菌剤収容ケース１１を容易に固定させることができる。
【００２６】
さらに、固定板９の下側の部分に取付空間２２を有しているため、例えば抗菌剤収容ケース１１を取外す際、作業者がツメ部１４の操作を容易に行うことができる。また、目視によりツメ部１４の有無の確認を行うことができるので、抗菌剤収容ケース１１取付の有無を容易に確認することができる。
【００２７】
そして、抗菌剤収容ケース１１をケースフレーム１５、ケース蓋１６、アーム１２、ケース取付部１３、ツメ部１４等を一体成型するようにしたので、容易に製造することができる。
【００２８】
実施の形態２．
上述した実施の形態１では、抗菌剤収容ケース１１を固定板９に取付けるため、固定板９の取付穴１０とケース取付部１３のツメ部１４とを用いたが、これに限定するものではない。粘着剤、磁石等を用いて、抗菌剤収容ケース１１を固定板９に取付ける（固定する）ことも可能である。
【００２９】
実施の形態３．
図１０はこの発明の実施の形態３に係る空気調和機の構成例を表す図である。ここで、図１０では空気調和機を冷凍サイクル装置の例として示している。図１０において、図１等において説明したものについては、同様の動作を行うものとする。図１０の空気調和機は、室外機（室外ユニット）２００と、実施の形態１において説明した室内機（室内ユニット）１００とをガス冷媒配管３００、液冷媒配管４００により配管接続する。室外機２００は、圧縮機２１０、四方弁２２０、室外熱交換器２３０及び膨張弁２４０を有している。
【００３０】
圧縮機２１０は、吸入した冷媒を圧縮して吐出する。ここで、特に限定するものではないが、圧縮機２１０は例えばインバータ回路等により、運転周波数を任意に変化させることにより、圧縮機２１０の容量（単位時間あたりの冷媒を送り出す量）を変化させることができるようにしてもよい。四方弁２２０は、例えば冷房運転時と暖房運転時とによって冷媒の流れを切り換える弁である。
【００３１】
本実施の形態における室外熱交換器２３０は、冷媒と空気（室外の空気）との熱交換を行う。例えば、暖房運転時においては蒸発器として機能し、冷媒を蒸発させ、気化させる。また、冷房運転時においては凝縮器として機能し、冷媒を凝縮して液化させる。
【００３２】
絞り装置（流量制御手段）等の膨張弁２４０は冷媒を減圧して膨張させる。例えば電子式膨張弁等で構成した場合には、制御装置（図示せず）等の指示に基づいて開度調整を行う。室内熱交換器１１０は、例えば空調対象となる空気と冷媒との熱交換を行う。暖房運転時においては凝縮器として機能し、冷媒を凝縮して液化させる。また、冷房運転時においては蒸発器として機能し、冷媒を蒸発させ、気化させる。
【００３３】
以上のように空気調和機を構成することで、室外機２００の四方弁２２０により冷媒の流れを切り換えることで、暖房運転及び冷房運転を実現することができる。
【産業上の利用可能性】
【００３４】
上述の実施の形態では、室内機１００は４つの吹出口を有し、四方向の空気を吹き出す四方向カセット型の室内機であるものとして説明したが、これに限定するものではない。例えば、二方向、三方向の空気の流れに対応する、他の天井埋め込み型の室内機についても適用することができる。また、天井埋め込み型の室内機に限らず、他の型式の室内機にも適用することができる。
【００３５】
また、上述の実施の形態では、冷凍サイクル装置の例として空気調和機について説明したが、これに限定するものではない。例えば冷蔵装置、冷凍装置等、他の冷凍サイクル装置にも適用することができる。また、冷凍サイクル装置だけでなく、送風機、換気装置等にも適用することができる。
【符号の説明】
【００３６】
１  本体、２  化粧パネル、３  吹出口、４  風向調整ベーン、５  吸込グリル、６  ターボファン、７  ドレンパン、７ａ  ドレンパン壁、７ｂ  ドレン水貯留部、７ｃ  熱交換器載置台、８  ドレンパンケース取付部、９  固定板、１０  取付穴、１１  抗菌剤収容ケース、１２  アーム、１３  ケース取付部、１４  ツメ部、１５  ケースフレーム、１６  ケース蓋、１７  ヒンジ、１８  リブ、１９  ケース穴、２０  ケースツメ、２１  網、２２  取付空間、２３  緩衝材、２４  抗菌剤、２６  ドレンポンプ、１００  室内機、１１０  室内熱交換器、２００  室外機、２１０  圧縮機、２２０  四方弁、２３０  室外熱交換器、２４０  膨張弁、３００  ガス冷媒配管、４００  液冷媒配管。
【図１】
2015124902.tif 000003
【図２】
2015124902.tif 000004
【図３】
2015124902.tif 000005
【図４】
2015124902.tif 000006
【図５】
2015124902.tif 000007
【図６】
2015124902.tif 000008
【図７】
2015124902.tif 000009
【図８】
2015124902.tif 000010
【図９】
2015124902.tif 000011
【図１０】
2015124902.tif 000012